(57)【要約】【課題】印刷装置と印刷制御装置とがネットワークを介して通信する印刷制御システムについて、印刷装置と印刷制御装置とがネットワークを介して通信する構成を用いて印刷装置の設定を変更できるようにする。【解決手段】印刷制御システム１は、印刷部１８、印刷制御データにより印刷部１８を制御する印刷制御部１７、設定制御データにより設定処理を行う設定制御部２３、及び非同期の双方向通信を行うＷｅｂＳｏｃｋｅｔコネクションＣＴによりデータを送受信する通信部１６を有する印刷装置１２と、印刷制御データを生成する印刷データ処理部２７、設定制御データを生成する設定処理部３１、及びデータを送受信する第１接続部２６を有する制御サーバー１０とを備える。【選択図】図３
2015125728.tif 000002
【特許請求の範囲】
【請求項１】
印刷装置と印刷制御装置とでネットワークを介した通信経路を確立し、
前記通信経路の確立後、前記印刷装置から印刷に関する設定値を要求する要求コマンドを前記印刷制御装置に前記通信経路で送信し、
前記印刷制御装置で前記要求コマンドを受信し、
受信した前記要求コマンドに基づいて前記印刷装置に前記印刷に関する設定値を設定させる設定制御データを送信し
前記印刷装置で前記設定制御データを受信し、
受信した前記設定制御データに基づいて前記印刷装置で印刷に関する設定を行うことを特徴とする印刷制御システムの制御方法。
【請求項２】
前記印刷装置の電源が投入されたときに、前記印刷装置は前記印刷制御装置との前記通信経路を確立する請求項１に記載の印刷制御システムの制御方法。
【請求項３】
前記要求コマンドは、前記印刷装置の識別情報を有し、
前記印刷制御装置は、前記識別情報と前記設定値を含む設定情報とを対応付けて記憶し、
前記印刷制御装置で前記要求コマンドを受信した場合、前記印刷制御装置は前記要求コマンドに含まれる前記識別情報と対応付けられた前記設定情報を取得し、取得した前記設定情報に基づいて前記設定制御データを生成する請求項１又は２に記載の印刷制御システムの制御方法。
【請求項４】
印刷を行う印刷部、印刷制御データに基づいて前記印刷部を制御する印刷制御部、通信経路を確立する通信制御部、及び前記通信経路が確立したときに印刷に関する設定値を要求する要求コマンドを送信して当該送信に応じて受信した設定制御データに基づいて設定処理を行う設定制御部を有する印刷装置と、
前記印刷制御データを生成する印刷データ処理部、前記印刷装置から受信した前記要求コマンドに応じて前記設定制御データを生成する設定処理部、及び前記印刷データ処理部で生成された前記印刷制御データと前記設定処理部で生成された前記設定制御データとを前記通信経路で前記印刷装置に送信する接続部を有する印刷制御装置と、
を備えることを特徴とする印刷制御システム。
【請求項５】
前記印刷装置の前記通信制御部は、前記印刷装置の電源が投入されたときに、前記印刷制御装置との間で前記通信経路の確立を行う請求項４に記載の印刷制御システム。
【請求項６】
前記要求コマンドは、前記印刷装置を識別する識別情報を有し、
前記印刷制御装置は、前記識別情報と、設定する設定値を含む設定情報とを対応付けて記憶する記憶部を有し、
前記印刷制御装置の前記設定処理部は、前記要求コマンドを受信した場合、前記要求コマンドに含まれる前識別情報と対応付けられた前記設定情報を取得し、取得した前記設定情報に基づいて前記設定制御データを生成する請求項４又は５に記載の印刷制御システム。
【請求項７】
前記識別情報を有して前記識別情報と対応付けられた前記設定情報の内容の変更を指示する変更コマンドを生成する制御部、及び前記制御部で生成された前記変更コマンドを前記印刷制御装置に送信する通信接続部を有する管理装置を備える請求項６に記載の印刷制御システム。
【請求項８】
前記印刷装置と、前記印刷制御装置とは、非同期の双方向通信を行う請求項４乃至７のいずれか１項に記載の印刷制御システム。
【発明の詳細な説明】
【技術分野】
【０００１】
本発明は、印刷装置を備える印刷制御システムの制御方法、及び印刷制御システムに関する。
【背景技術】
【０００２】
従来、印刷制御装置の制御の下、印刷装置によって印刷媒体に印刷し、レシートを発行する印刷制御システムが知られている（例えば、特許文献１参照）。この種の印刷制御システムでは、印刷装置と、印刷制御装置とがネットワークを介して接続され、これら装置が当該ネットワークを介して通信する。また、印刷装置は、印字速度や、印字濃度等の設定に従って、印刷処理を実行する。
【先行技術文献】
【特許文献】
【０００３】
【特許文献１】特開２０１１−１０８０９７号公報
【発明の概要】
【発明が解決しようとする課題】
【０００４】
上述した印刷制御システムのように、印刷装置と、印刷制御装置とがネットワークを介して通信するシステムでは、印刷装置と印刷制御装置とがネットワークを介して通信する構成を用いて印刷装置の設定を変更できるようにしたいとするニーズがある。
本発明は、上述した事情に鑑みてなされたものであり、印刷装置と印刷制御装置とがネットワークを介して通信する印刷制御システムについて、印刷装置と印刷制御装置とがネットワークを介して通信する構成を用いて印刷装置の設定を変更できるようにすることを目的とする。
【課題を解決するための手段】
【０００５】
上記目的を達成するために、本発明の印刷制御システムの制御方法は、印刷装置と印刷制御装置とでネットワークを介した通信経路を確立し、前記通信経路の確立後、前記印刷装置から印刷に関する設定値を要求する要求コマンドを前記印刷制御装置に前記通信経路で送信し、前記印刷制御装置で前記要求コマンドを受信し、受信した前記要求コマンドに基づいて前記印刷装置に前記印刷に関する設定値を設定させる設定制御データを送信し前記印刷装置で前記設定制御データを受信し、受信した前記設定制御データに基づいて前記印刷装置で印刷に関する設定を行うことを特徴とする。
本発明の構成によれば、印刷装置と印刷制御装置との間で通信経路が確立した後、印刷装置は、印刷制御装置と通信して、印刷制御装置の機能を用いて、印刷に関する設定を行う。このため、印刷装置と印刷制御装置とがネットワークを介して通信する構成を用いて印刷装置の設定を変更できる。
【０００６】
また、前記印刷装置の電源が投入されたときに、前記印刷装置は前記印刷制御装置との前記通信経路を確立する。
本発明の構成によれば、電源投入時に、印刷装置により自動で通信経路が確立されるため、ユーザーによる通信経路の確立のための作業が必要なく、また、電源投入後、印刷制御装置の機能により、印刷装置に設定処理を行わせることができる。
【０００７】
また、前記要求コマンドは、前記印刷装置の識別情報を有し、前記印刷制御装置は、前記識別情報と前記設定値を含む設定情報とを対応付けて記憶し、前記印刷制御装置で前記要求コマンドを受信した場合、前記印刷制御装置は前記要求コマンドに含まれる前記識別情報と対応付けられた前記設定情報を取得し、取得した前記設定情報に基づいて前記設定制御データを生成する。
本発明の構成によれば、印刷制御装置は、要求コマンドに含まれる印刷装置識別情報、及び、記憶する情報に基づいて、対応する設定情報を取得し、設定制御データを生成できる。
【０００８】
また、本発明の印刷制御システムは、印刷を行う印刷部、印刷制御データに基づいて前記印刷部を制御する印刷制御部、通信経路を確立する通信制御部、及び前記通信経路が確立したときに印刷に関する設定値を要求する要求コマンドを送信して当該送信に応じて受信した設定制御データに基づいて設定処理を行う設定制御部を有する印刷装置と、前記印刷制御データを生成する印刷データ処理部、前記印刷装置から受信した前記要求コマンドに応じて前記設定制御データを生成する設定処理部、及び前記印刷データ処理部で生成された前記印刷制御データと前記設定処理部で生成された前記設定制御データとを前記通信経路で前記印刷装置に送信する接続部を有する印刷制御装置と、を備えることを特徴とする。
本発明の構成によれば、印刷装置と印刷制御装置との間で通信経路が確立した後、印刷装置は、印刷制御装置と通信して、印刷制御装置の機能を用いて、印刷に関する設定を行う。このため、印刷装置と印刷制御装置とがネットワークを介して通信する構成を用いて印刷装置の設定を変更できる。
【０００９】
また、前記印刷装置の前記通信制御部は、前記印刷装置の電源が投入されたときに、前記印刷制御装置との間で前記通信経路の確立を行う。
本発明の構成によれば、電源投入時に、印刷装置により自動で通信経路が確立されるため、ユーザーによる通信経路の確立のための作業が必要なく、また、電源投入後、印刷制御装置の機能により、印刷装置に設定処理を行わせることができる。
【００１０】
また、前記要求コマンドは、前記印刷装置を識別する識別情報を有し、前記印刷制御装置は、前記識別情報と、設定する設定値を含む設定情報とを対応付けて記憶する記憶部を有し、前記印刷制御装置の前記設定処理部は、前記要求コマンドを受信した場合、前記要求コマンドに含まれる前識別情報と対応付けられた前記設定情報を取得し、取得した前記設定情報に基づいて前記設定制御データを生成する。
本発明の構成によれば、印刷制御装置は、要求コマンドに含まれる印刷装置識別情報、及び、記憶部が記憶する情報に基づいて、対応する設定情報を取得し、設定制御データを生成できる。
【００１１】
また、前記識別情報を有して前記識別情報と対応付けられた前記設定情報の内容の変更を指示する変更コマンドを生成する制御部、及び前記制御部で生成された前記変更コマンドを前記印刷制御装置に送信する通信接続部を有する管理装置を備える。
本発明の構成によれば、管理装置は、所定の印刷装置識別情報が示す設定情報の内容を変更することができ、所定の印刷装置識別情報が示す印刷装置の設定を変更することができる。
【００１２】
また、前記印刷装置と、前記印刷制御装置とは、非同期の双方向通信を行う。
本発明の構成によれば、印刷制御装置は、印刷装置からリクエストを受けることなく、任意のタイミングで印刷装置にデータを送信して、印刷装置にデータに基づく処理を行わせることができる。
【図面の簡単な説明】
【００１３】
【図１】本実施形態に係る印刷制御システムの構成を示す図。
【図２】制御サーバーと印刷装置との間で確立される通信経路を示す図。
【図３】印刷装置、制御サーバー、管理装置の機能的構成を示すブロック図。
【図４】印刷装置、制御サーバーの動作を示すフローチャート。
【図５】印刷装置、制御サーバーの動作を示すフローチャート。
【図６】管理装置、制御サーバーの動作を示すフローチャート。
【図７】管理装置が提供するユーザーインターフェースを示す図。
【図８】管理装置、制御サーバー、印刷装置の動作を示すフローチャート。
【発明を実施するための形態】
【００１４】
以下、図面を参照して本発明の実施形態について説明する。
図１は、本実施形態に係る印刷制御システム１の構成を示す図である。
図１に示すように、印刷制御システム１は、制御サーバー１０（印刷制御装置）を備え、制御サーバー１０にインターネット等のネットワークＧＮを介して複数の店舗システム１１と接続する。また、ネットワークＧＮには、複数の管理装置１４を接続する。
店舗システム１１は、スーパーマーケットや、コンビニエンスストア、デパート、飲食店等の店舗に用いるシステムである。店舗システム１１は、店舗に来店した顧客に対してレシートを発行する機能を備える。
店舗システム１１は、印刷媒体に印刷を行う印刷機能を有し、レシートを発行可能な１又は複数の印刷装置１２を備える。印刷装置１２は、店舗に構築されたローカルエリアネットワークＬＮに接続する。ローカルエリアネットワークＬＮには、ネットワークルーターや、モデム等の通信機器を含んで構成されたネットワーク通信制御装置１３が接続する。印刷装置１２は、ネットワーク通信制御装置１３を介して、ネットワークＧＮにアクセスする。
店舗システム１１Ａは、スーパーマーケットＳＭに用いるシステムである。スーパーマーケットＳＭには、複数のレジカウンターＲＣが設けられ、レジカウンターＲＣには、印刷装置１２が設けられる。店舗システム１１Ａの印刷装置１２は、ローカルエリアネットワークＬＮに接続し、ネットワーク通信制御装置１３を介して、ネットワークＧＮにアクセスする。
印刷制御システム１では、店舗システム１１の印刷装置１２が、制御サーバー１０との間で通信経路を確立し、制御サーバー１０と通信する。そして、印刷装置１２は、制御サーバー１０の制御に従って、印刷に係る処理を実行する。
管理装置１４は、後述するように１又は複数の店舗システム１１を管理する装置である。例えば、管理装置１４は、店舗を運営する企業の本社に設けられ、当該店舗を運営する企業のグループに属する複数の店舗に設けられた店舗システム１１を管理する。後述するように、管理装置１４は、管理する店舗システム１１の所定の印刷装置１２を制御して、当該所定の印刷装置１２に印刷を実行させることができる。
【００１５】
図２は、印刷制御システム１における制御サーバー１０と、印刷装置１２との間に確立される通信経路を示す図である。
図２に示すように、印刷制御システム１において、制御サーバー１０と、店舗システム１１の印刷装置１２との間には、ＷｅｂＳｏｃｋｅｔで通信を行うＷｅｂＳｏｃｋｅｔコネクションＣＴ（通信経路）が確立される。
なお、ＷｅｂＳｏｃｋｅｔは、非同期な双方向通信を可能とする通信規格の１つである。ＷｅｂＳｏｃｋｅｔでは、サーバーとクライアントがＷｅｂＳｏｃｋｅｔコネクションＣＴを確立した後は、データの送受信を、当該コネクションによりプロトコルを用いて行う。このため、データの送信が発生する度に、コネクションを確立する必要がない。
また、ＷｅｂＳｏｃｋｅｔコネクションＣＴは、当該コネクションで接続された印刷装置１２と、制御サーバー１０との間で、ＷｅｂＳｏｃｋｅｔのプロトコル、手続きに従ってデータを送受信する論理的な通信経路である。従って、印刷装置１２と、制御サーバー１０との間で、所定のハンドシェイクが行われ、ＷｅｂＳｏｃｋｅｔコネクションＣＴを確立した後は、印刷装置１２と、制御サーバー１０とは、ＷｅｂＳｏｃｋｅｔコネクションＣＴにより、非同期にデータを送受信できる。制御サーバー１０は、任意のタイミングでＷｅｂＳｏｃｋｅｔコネクションＣＴにより印刷装置１２にデータを送信でき、印刷装置１２は、任意のタイミングでＷｅｂＳｏｃｋｅｔコネクションＣＴにより制御サーバー１０にデータを送信できる。
また、ＷｅｂＳｏｃｋｅｔ通信は、ＷｅｂＳｏｃｋｅｔコネクションＣＴにより印刷装置１２と、制御サーバー１０との間で行われる、ＷｅｂＳｏｃｋｅｔのプロトコル、手続きに従った非同期な双方向通信である。
ＷｅｂＳｏｃｋｅｔコネクションＣＴの確立により、印刷装置１２、及び、制御サーバー１０は、非同期で、双方向通信できる。つまり、制御サーバー１０は、クライアントとしての印刷装置１２からリクエストを受けることなく、任意のタイミングで、ＷｅｂＳｏｃｋｅｔコネクションＣＴによりＷｅｂＳｏｃｋｅｔ通信で印刷装置１２にデータをプッシュ送信できる。同様に、印刷装置１２は、任意のタイミングで、ＷｅｂＳｏｃｋｅｔコネクションＣＴで制御サーバー１０に対してデータをプッシュ送信できる。
また、制御サーバー１０は、複数の管理装置１４と通信可能に接続する。後述するように、管理装置１４は、制御サーバー１０を介して、所定の印刷装置１２に印刷制御データを送信し、当該所定の印刷装置１２に印刷を実行させることができる。
【００１６】
本実施形態において、制御サーバー１０は、印刷装置１２をクライアントとする、クラウドシステムのクラウドサーバーである。すなわち、制御サーバー１０は、演算処理機能を有し、印刷装置１２の要求や、管理装置１４の要求、所定の条件の成立等をトリガーとして所定の演算処理を実行し、演算処理の結果に基づくデータを、ＷｅｂＳｏｃｋｅｔコネクションＣＴで印刷装置１２に送信する。
なお、図２では、制御サーバー１０を、１つのブロックによって表現するが、これは、制御サーバー１０が単一のサーバー装置により構成されることを意味するものではない。例えば、制御サーバー１０は、複数のサーバー装置を含んで構成されたものであってもよく、所定のシステムの一部の機能により実現されるサーバーであってもよい。すなわち、後述する各種処理を実現可能な構成であれば、その形態を問わない。
また、本実施形態では、制御サーバー１０と、印刷装置１２との間で、ＷｅｂＳｏｃｋｅｔ通信を行う。しかしながら、これら装置が、ＷｅｂＳｏｃｋｅｔ通信に代えて、ＷｅｂＳｏｃｋｅｔ通信と同様な非同期な双方向通信を行う構成であってもよい。
【００１７】
このように、印刷制御システム１は、印刷機能を有する印刷装置１２を、複数台（例えば、１０００台）、ＷｅｂＳｏｃｋｅｔコネクションＣＴで、制御サーバー１０との間で通信可能に接続する。
このような構成のため、以下の効果を得ることができる。
すなわち、制御サーバー１０は、複数の店舗システム１１に接続された複数の印刷装置１２から受信したデータに基づく情報を収集し、管理、分析できる。このため、制御サーバー１０は、有益な情報を蓄積することができる。蓄積した情報は、いわゆるビッグデータとして活用可能である。
また、店舗システム１１の構築の簡易化、及び、低コスト化を図ることが可能となる。すなわち、印刷制御システム１では、印刷装置１２がＷｅｂＳｏｃｋｅｔコネクションＣＴにより制御サーバー１０に接続される。このため、制御サーバー１０が提供するサービスを用いて、制御サーバー１０の制御で、印刷装置１２に各種処理を実行させることが可能である。従って、店舗システム１１を構築する管理者は、店舗システム１１の構築に際し、印刷装置１２を所望の場所に設置し、印刷装置１２をネットワークＧＮに接続する、という簡易な作業を行えばよい。これにより、制御サーバー１０が提供するサービスを用いて、印刷装置１２に所望の処理、例えば、レシートの発行に係る処理を実行させることが可能となる。管理装置１４においても、構築の簡易化、及び、低コスト化を図ることができる。
特に、店舗システム１１を構築する管理者は、１又は複数の店舗システム１１を管理する管理装置１４に、印刷装置１２を制御する機能を有する必要がない。管理装置１４は、制御サーバー１０にアクセスし、制御サーバー１０が提供するサービスを用いることによって、制御サーバー１０に接続された印刷装置１２を制御できる。これにより、店舗システム１１の構築の簡易化、及び、低コスト化を図ることが可能となる。
また、制御サーバー１０に、異なる店舗システム１１の印刷装置１２がＷｅｂＳｏｃｋｅｔコネクションＣＴで接続されるため、制御サーバー１０は、複数の店舗システム１１に接続された複数の印刷装置１２を管理できる。また、制御サーバー１０は、複数の店舗システム１１に接続された複数の印刷装置１２を動作させることが可能となる。
【００１８】
図３は、本実施形態に係る印刷装置１２、制御サーバー１０、及び、管理装置１４の機能的構成を示すブロック図である。
図３に示すように、印刷装置１２は、通信制御部１５と、通信部１６と、印刷制御部１７と、印刷部１８と、設定制御部２３と、印刷装置記憶部１９と、を備える。
通信制御部１５、通信部１６、印刷制御部１７、及び、設定制御部２３の機能については後述する。
印刷部１８は、印刷媒体に印刷する印刷機構、印刷媒体を搬送する搬送機構、印刷媒体を切断する切断機構等の印刷に係る機構、及び、各機構の制御に係る制御基板等を備える。
印刷装置記憶部１９は、不揮発性メモリーを備え、各種データを記憶する。印刷装置記憶部１９は、通信先情報データ１９ａと、印刷装置識別情報データ１９ｂと、機能部管理データベース１９ｃと、を記憶するが、これらデータについては後述する。
以下の説明では、印刷制御部１７、及び、設定制御部２３を区別せずに表現する場合、これら機能ブロックを総称して「機能部」と表現する。
【００１９】
図３に示すように、制御サーバー１０は、通信管理部２５と、第１接続部２６（接続部）と、印刷データ処理部２７と、設定処理部３１と、制御サーバー記憶部２８（記憶部）と、第２接続部３０と、を備える。
通信管理部２５、第１接続部２６、印刷データ処理部２７、及び、設定処理部３１の機能については、後述する。
制御サーバー記憶部２８は、不揮発性メモリーを備え、各種データを記憶する。制御サーバー記憶部２８は、コネクション管理データベース２８ａと、処理部管理データベース２８ｂと、設定情報データベース２８ｃと、を記憶するが、これについては後述する。
第２接続部３０は、通信管理部２５の制御に従って、管理装置１４との間で、ＨＴＴＰ通信を行う。すなわち、管理装置１４にウェブブラウザーがインストールされており、第２接続部３０は、管理装置１４との間で、制御サーバー１０をサーバーとし、管理装置１４をクライアントとするＨＴＴＰ通信をコネクションにより行う。
以下の説明では、印刷データ処理部２７、及び、設定処理部３１を区別せずに表現する場合、これら機能ブロックを総称して「処理部」と表現する。
【００２０】
また、管理装置１４は、管理装置制御部４０（制御部）と、通信接続部４１と、表示部４２と、を備える。
管理装置制御部４０は、ＣＰＵや、ＲＯＭ、ＲＡＭ、その他の周辺回路等を備え、管理装置１４を制御する。管理装置１４は、機能ブロックとして、ブラウザー実行部４０ａを備える。ブラウザー実行部４０ａは、ウェブブラウザーによって実現される機能ブロックである。
通信接続部４１は、管理装置制御部４０の制御で、コネクションＫＫにより制御サーバー１０とＨＴＴＰ通信を行う。
表示部４２は、液晶表示パネル等の表示パネルを備え、管理装置制御部４０の制御に従って、表示パネルに画像を表示する。
【００２１】
なお、図３では、制御サーバー１０と、制御サーバー１０に接続された１つの印刷装置１２との関係を示す。制御サーバー１０に、複数の印刷装置１２が接続される場合は、制御サーバー１０は、複数の印刷装置１２に対応して複数の第１接続部２６（ＷｅｂＳｏｃｋｅｔインターフェース）を備え、印刷装置１２との間でＷｅｂＳｏｃｋｅｔコネクションＣＴを確立し、印刷装置１２とＷｅｂＳｏｃｋｅｔコネクションＣＴでＷｅｂＳｏｃｋｅｔ通信する。
また、図３では、制御サーバー１０と、制御サーバー１０に接続された１つの管理装置１４との関係を示す。制御サーバー１０に、複数の管理装置１４が接続される場合は、制御サーバー１０は、複数の管理装置１４に対応して複数の第２接続部３０を備え、管理装置１４との間でコネクションＫＫを確立し、管理装置１４とコネクションＫＫで通信する。
【００２２】
次に、印刷装置１２の電源投入時における、印刷装置１２、及び、制御サーバー１０の動作について説明する。
図４、５は、印刷装置１２に電源が投入された後の印刷装置１２、及び、制御サーバー１０の動作を示すフローチャートであり、（Ａ）は印刷装置１２の動作を、（Ｂ）は制御サーバー１０の動作を示す。
なお、図４、５のフローチャートの処理のトリガーは、電源投入時に限らない。例えば、印刷装置１２がネットワークＧＮに通信可能に接続された場合や、ユーザーから指示があった場合等であってもよい。
また、以下の説明では、印刷装置１２は、対応する店舗システム１１のローカルエリアネットワークＬＮに接続され、ネットワークＧＮにアクセス可能である。
【００２３】
また、以下の説明において、印刷装置１２が備える通信制御部１５、印刷制御部１７、設定制御部２３、及び、制御サーバー１０が備える通信管理部２５、印刷データ処理部２７、設定処理部３１の機能は、例えば、以下のようにして実現される。
これら機能ブロックは、オブジェクトである。オブジェクトは、オブジェクト指向プログラミングで生成されるインスタンス、すなわち、データ、及び、メソッドの集合として定義された機能ブロックである。そして、これら機能ブロックの機能は、機能ブロックに実装されたメソッドが呼び出されることによって実現される。
また例えば、これら機能ブロックの機能は、アプリケーションがＣＰＵ等のハードウェアによって読み出され実行されることによって、実現される。１つのアプリケーションにより１つの機能ブロックの機能が実現される構成であってもよい。また、１つのアプリケーションにより複数の機能ブロックの機能が実現される構成であってもよい。また、複数のアプリケーションにより１つの機能ブロックの機能が実現される構成であってもよい。
すなわち、機能ブロックは、機能をブロックとして表現したものであり、特定のアプリケーションや、ハードウェア等を意味するものではない。
【００２４】
図４（Ａ）に示すように、印刷装置１２の電源が投入されると（ステップＳＸ１）、通信制御部１５は、印刷装置記憶部１９にアクセスし、印刷装置記憶部１９が記憶する通信先情報データ１９ａを取得する（ステップＳＡ１）。
通信先情報データ１９ａは、ＷｅｂＳｏｃｋｅｔコネクションＣＴの確立する際に、アクセスする制御サーバー１０のアドレス（ドメイン名、ＩＰアドレス、パス名、ポート情報等。）を示すデータである。ここで、ＷｅｂＳｏｃｋｅｔ通信では、ＷｅｂＳｏｃｋｅｔコネクションＣＴの確立に、クライアント（本例では、印刷装置１２）は、サーバー（本例では、制御サーバー１０）に対して、ＨＴＴＰ（Hypertext Transfer Protocol）でハンドシェイクを行う。当該ハンドシェイクで、クライアントは、サーバーのアドレスを有するメッセージ等の各種メッセージを送信するが、通信先情報データ１９ａは、アクセス先のアドレスを有する。
次いで、通信制御部１５は、通信先情報データ１９ａが示すアドレスに基づいて、制御サーバー１０の通信管理部２５と共に、通信部１６と第１接続部２６との間に、ＷｅｂＳｏｃｋｅｔコネクションＣＴを確立する（ステップＳＡ２、ステップＳＢ１）。本実施形態に係る印刷装置１２は、ユーザーによる指示や、制御サーバー１０からの要求を受けることなく、電源の投入をトリガーとしてＷｅｂＳｏｃｋｅｔコネクションＣＴを確立する。
通信部１６、及び、第１接続部２６は、ＷｅｂＳｏｃｋｅｔの規格、手続きに従ってデータの送受信を行うＷｅｂＳｏｃｋｅｔインターフェースである。これら機能ブロックは、例えば、ＷｅｂＳｏｃｋｅｔのＳｏｃｋｅｔライブラリーを用いて生成される。
すなわち、通信部１６は、通信制御部１５や、印刷制御部１７、設定制御部２３から受信したデータについて、ＷｅｂＳｏｃｋｅｔのプロトコルに従って処理を行い、ＷｅｂＳｏｃｋｅｔの手続きでＷｅｂＳｏｃｋｅｔコネクションＣＴによりデータを送信する機能を有する。また、通信部１６は、ＷｅｂＳｏｃｋｅｔコネクションＣＴにより受信したデータについて、ＷｅｂＳｏｃｋｅｔに従った処理を行って、通信制御部１５等に送信する機能を有する。第１接続部２６についても同様である。
ＷｅｂＳｏｃｋｅｔコネクションＣＴの確立に伴って、印刷装置１２、及び、制御サーバー１０は、非同期で、双方向通信できる。制御サーバー１０は、クライアントとしての印刷装置１２からリクエストを受けることなく、ＷｅｂＳｏｃｋｅｔコネクションＣＴによりプッシュ送信で印刷装置１２にデータを送信できる。同様に、印刷装置１２は、ＷｅｂＳｏｃｋｅｔコネクションＣＴによりプッシュ送信で制御サーバー１０にデータを送信できる。
【００２５】
また、ＷｅｂＳｏｃｋｅｔコネクションＣＴの確立により、印刷装置１２の印刷制御部１７と、制御サーバー１０の印刷データ処理部２７との間で、ＷｅｂＳｏｃｋｅｔコネクションＣＴに基づく第１機能部間通信経路ＫＴ１が確立する。第１機能部間通信経路ＫＴ１は、印刷制御部１７と、印刷データ処理部２７との間で通信するデータを送受信する論理的な通信経路である。印刷制御部１７と印刷データ処理部２７とは、第１機能部間通信経路ＫＴ１により、非同期な双方向通信を行う。第１機能部間通信経路ＫＴ１により行われる非同期な双方向通信については後述する。
また、ＷｅｂＳｏｃｋｅｔコネクションＣＴの確立により、印刷装置１２の設定制御部２３と制御サーバー１０の設定処理部３１との間で、ＷｅｂＳｏｃｋｅｔコネクションＣＴに基づく第２機能部間通信経路ＫＴ２が確立する。第２機能部間通信経路ＫＴ２は、設定制御部２３と設定処理部３１との間で通信するデータを送受信する論理的な通信経路である。設定制御部２３と設定処理部３１とは、第２機能部間通信経路ＫＴ２により、非同期な双方向通信を行う。第２機能部間通信経路ＫＴ２により行われる非同期な双方向通信については後述する。
印刷装置１２の通信制御部１５は、印刷装置記憶部１９にアクセスし、印刷装置記憶部１９で記憶する印刷装置識別情報データ１９ｂを取得する（ステップＳＡ３）。印刷装置識別情報データ１９ｂは、印刷装置１２の識別情報（印刷装置１２を識別する情報、以下「印刷装置識別情報」という。）を示すデータである。印刷装置識別情報は、例えば、印刷装置１２の製造段階で、印刷装置１２に割り当てられるシリアル番号である。
次いで、通信制御部１５は、取得した印刷装置識別情報データ１９ｂを通信部１６に送信する（ステップＳＡ４）。
通信部１６は、受信した印刷装置識別情報データ１９ｂを、ＷｅｂＳｏｃｋｅｔコネクションＣＴにより、制御サーバー１０に送信する（ステップＳＡ５）。
【００２６】
図４（Ｂ）に示すように、制御サーバー１０の第１接続部２６は、ＷｅｂＳｏｃｋｅｔコネクションＣＴにより、印刷装置識別情報データ１９ｂを受信する（ステップＳＢ２）。
次いで、第１接続部２６は、受信した印刷装置識別情報データ１９ｂを、通信管理部２５に送信する（ステップＳＢ３）。
通信管理部２５は、制御サーバー記憶部２８で記憶するコネクション管理データベース２８ａにアクセスする（ステップＳＢ４）。コネクション管理データベース２８ａは、確立しているＷｅｂＳｏｃｋｅｔコネクションＣＴについて、ＷｅｂＳｏｃｋｅｔコネクションＣＴの識別情報であるコネクション識別情報と、上述した印刷装置識別情報とを対応付けて記憶するデータベースである。
次いで、通信管理部２５は、コネクション管理データベース２８ａに１件のレコードを生成する。そして、通信管理部２５は、生成したレコードにおいて、ステップＳＢ１で確立したＷｅｂＳｏｃｋｅｔコネクションＣＴのコネクション識別情報と、ステップＳＢ２で受信した印刷装置識別情報データ１９ｂが示す印刷装置識別情報とを対応付けて記憶する（ステップＳＢ５）。通信管理部２５は、ＷｅｂＳｏｃｋｅｔコネクションＣＴが確立したときに、既に確立しているＷｅｂＳｏｃｋｅｔコネクションＣＴのコネクション識別情報と異なる値のコネクション識別情報を生成する。このステップＳＢ４の処理により、制御サーバー１０で、ＷｅｂＳｏｃｋｅｔコネクションＣＴと、印刷装置１２との対応関係が管理される。
このように、印刷装置１２は、ユーザーによる指示や、制御サーバー１０からの要求を受けることなく、電源の投入をトリガーとしてＷｅｂＳｏｃｋｅｔコネクションＣＴを確立する。このような構成のため、ユーザーは、ＷｅｂＳｏｃｋｅｔコネクションＣＴを確立するために、煩雑な作業を行う必要がない。また、ユーザーは、ＷｅｂＳｏｃｋｅｔコネクションＣＴを確立するために、専門的な知識も必要ない。電源投入後、印刷装置１２を、制御サーバー１０の制御で各種処理を実行できる状態とすることができる。
【００２７】
図４（Ａ）に示すように、印刷装置１２の設定制御部２３は、要求コマンドを生成する（ステップＳＡ６）。要求コマンドは、制御サーバー１０に対して設定制御データ（後述）の送信を要求するコマンドである。要求コマンドは、所定のフォーマットに従ったデータである。
次いで、設定制御部２３は、生成した要求コマンドに、印刷装置識別情報、及び、設定制御部２３の機能部識別情報を付加する（ステップＳＡ７）。機能部識別情報は、印刷装置１２が備える機能部の識別情報である。従って、印刷装置１２が備える印刷制御部１７、及び、設定制御部２３には、異なる値の機能部識別情報が割り当てられる。ステップＳＡ７では、設定制御部２３は、印刷装置記憶部１９が記憶する印刷装置識別情報データ１９ｂを参照し、当該データに基づいて、要求コマンドに印刷装置識別情報を付加する。また、設定制御部２３は、当該設定制御部２３に割り当てられた機能部識別情報を管理し、当該管理に基づいて、要求コマンドに機能部識別情報を付加する。
次いで、設定制御部２３は、要求コマンドを、通信部１６に送信する（ステップＳＡ８）。
通信部１６は、ＷｅｂＳｏｃｋｅｔコネクションＣＴで、要求コマンドを、制御サーバー１０に送信する（ステップＳＡ９）。
【００２８】
図４（Ｂ）に示すように、制御サーバー１０の第１接続部２６は、ＷｅｂＳｏｃｋｅｔコネクションＣＴにより、要求コマンドを受信する（ステップＳＢ６）。
次いで、第１接続部２６は、受信した要求コマンドを通信管理部２５に送信する（ステップＳＢ７）。
通信管理部２５は、要求コマンドに付加された印刷装置識別情報、及び、機能部識別情報を取得する（ステップＳＢ８）。次いで、通信管理部２５は、制御サーバー記憶部２８が記憶する処理部管理データベース２８ｂを参照する（ステップＳＢ９）。処理部管理データベース２８ｂは、印刷装置識別情報及び機能部識別情報の組合せと処理部識別情報とを対応づけて記憶するデータベースである。次いで、通信管理部２５は、ステップＳＢ８で取得した印刷装置識別情報、及び、機能部識別情報の組合せをキーとして、処理部管理データベース２８ｂで、当該識別情報の組合せと対応付けられた処理部識別情報を取得する（ステップＳＢ１０）。処理部識別情報は、制御サーバー１０が備える処理部の識別情報である。従って、制御サーバー１０が備える印刷データ処理部２７、及び、設定処理部３１には、異なる値の処理部識別情報が割り当てられる。ステップＳＢ１０で通信管理部２５が取得した処理部識別情報は、ＷｅｂＳｏｃｋｅｔコネクションＣＴで受信したデータを送信する処理部を示す処理部識別情報である。次いで、通信管理部２５は、ステップＳＢ１０で取得した処理部識別情報が示す処理部（本例では、設定処理部３１）に、要求コマンドを送信する（ステップＳＢ１１）。なお、通信管理部２５は、処理部と処理部識別情報との関係を管理し、１の処理部識別情報に基づいて、当該１の処理部識別情報に対応する処理部にデータを送信できる。
【００２９】
図５（Ｂ）に示すように、制御サーバー１０の設定処理部３１は、要求コマンドを受信すると、制御サーバー記憶部２８が記憶する設定情報データベース２８ｃを参照する（ステップＳＢ１２）。
設定情報データベース２８ｃは、制御サーバー１０と接続する印刷装置１２について、印刷装置識別情報と、設定情報と、を対応付けて記憶するデータベースである。
設定情報とは、印刷装置１２の印刷部１８に関する１又は複数の設定項目と、設定項目に設定する設定値とを対応付けた情報である。
本実施形態に係る印刷装置１２は、設定項目として、印刷時の濃度に関する設定である印字濃度設定と、印刷時の速度に関する設定である印字速度設定と、印刷装置１２にセットされる印刷媒体（本例では、ロール紙）の紙幅に関する設定である紙幅設定と、を有する。設定項目は、本実施形態で例示するものに限らず、例えば、ネットワークに関する設定や、音声出力機能を有する場合は音声に関する設定等、他の設定項目を含んでいてもよい。
また、本実施形態に係る印刷装置１２は、印字濃度設定の設定値として、印字濃度が濃いことを示す「設定値：濃」と、印字濃度が薄いことを示す「設定値：薄」と、を有する。また、印刷装置１２は、印字速度設定の設定値として、印字速度が速いことを示す「設定値：速」と、印字速度が遅いことを示す「設定値：遅」と、を有する。また、印刷装置１２は、紙幅設定の設定値として、セットされるロール紙が８０ｍｍであることを示す「設定値：８０ｍｍ」と、セットされるロール紙が５８ｍｍであることを示す「設定値：５８ｍｍ」と、を有する。
例えば、設定情報は、印字濃度設定と「設定値：濃」とを対応付け、印字速度設定と「設定値：速」とを対応付け、紙幅設定と「設定値：８０ｍｍ」とを対応付けた情報である。
【００３０】
次いで、設定処理部３１は、要求コマンドに付加された印刷装置識別情報をキーとして、設定情報データベース２８ｃで、当該識別情報と対応付けられた設定情報を取得する（ステップＳＢ１３）。
次いで、設定処理部３１は、取得した設定情報に基づいて、設定制御データを生成する（ステップＳＢ１４）。
設定制御データは、設定項目の設定値を指定し、印刷装置１２の設定制御部２３に、設定項目の設定値を、指定した設定値となるよう設定させることを指示するデータである。例えば、設定制御データは、印字濃度設定の設定値を「設定値：濃」と設定させ、印字速度設定の設定値を「設定値：速」と設定させ、紙幅設定の設定値を「設定値：８０ｍｍ」と設定させることを指示するデータである。
次いで、設定処理部３１は、設定制御データに、処理部識別情報を付加する（ステップＳＢ１５）。設定処理部３１は、当該設定処理部３１に割り当てられた処理部識別情報を管理する。
次いで、設定処理部３１は、設定制御データを、第１接続部２６に送信する（ステップＳＢ１６）。
第１接続部２６は、受信した設定制御データを、ＷｅｂＳｏｃｋｅｔコネクションＣＴにより、印刷装置１２に送信する（ステップＳＢ１７）。
【００３１】
図５（Ａ）に示すように、印刷装置１２の通信部１６は、ＷｅｂＳｏｃｋｅｔコネクションＣＴにより、設定制御データを受信する（ステップＳＡ１０）。次いで、通信部１６は、通信制御部１５に、設定制御データを送信する（ステップＳＡ１１）。
通信制御部１５は、設定制御データに付加された処理部識別情報を取得する（ステップＳＡ１２）。
次いで、通信制御部１５は、機能部管理データベース１９ｃを参照する（ステップＳＡ１３）。
機能部管理データベース１９ｃは、印刷装置１２が備える機能部の識別情報である機能部識別情報と、対応する処理部の処理部識別情報と、を対応付けて記憶するデータベースである。
１の機能部と１の処理部とが対応する場合、当該１の処理部が送信したデータを当該１の機能部が処理でき、逆に、当該１の機能部が送信したデータを当該１の処理部が処理できる関係にある。従って、当該１の処理部は、対応関係にある当該１の機能部に対してデータを送信して、当該１の機能部に、当該１の機能部が有する機能に基づく処理を実行させることができる。また、当該１の機能部は、対応関係にある当該１の処理部に対してデータを送信して、当該１の処理部に、当該１の処理部が有する機能に基づく処理を実行させることができる。本例では、印刷装置１２の印刷制御部１７と、制御サーバー１０の印刷データ処理部２７とが対応する。また、印刷装置１２の設定制御部２３と、制御サーバー１０の設定処理部３１とが対応する。
次いで、通信制御部１５は、ステップＳＡ１２で取得した処理部識別情報をキーとして、機能部管理データベース１９ｃで、当該識別情報と対応付けられた機能部識別情報を取得する（ステップＳＡ１４）。
次いで、通信制御部１５は、ステップＳＡ１４で取得した機能部識別情報が示す機能部（本例では、設定制御部２３）に、設定制御データを送信する（ステップＳＡ１５）。通信制御部１５は、機能部識別情報と機能部との関係を管理する。従って、通信制御部１５は、１の機能部識別情報に基づいて、当該１の機能部識別情報が示す機能部にデータを送信できる。
【００３２】
設定制御部２３は、受信した設定制御データに基づいて、設定処理を行う（ステップＳＡ１６）。
設定処理は、設定制御部２３が、設定項目の設定値を、設定制御データで指定された設定値に設定する処理である。
本実施形態では、印刷装置１２の印刷装置記憶部１９は、設定項目と、設定値とを対応付けた情報を有する設定ファイルを記憶する。そして、ステップＳＡ１６の設定処理で、設定制御部２３は、設定ファイルにアクセスし、設定項目と、設定制御データで指定された対応する設定値とが対応付けられるように、設定ファイルの内容を書き換える。設定処理において、プログラムに定義された設定に関する変数の値を変更する等の処理を行ってもよい。
【００３３】
以上のように、本実施形態では、印刷装置１２の電源投入をトリガーとして、印刷装置１２と、制御サーバー１０との間で、ＷｅｂＳｏｃｋｅｔコネクションＣＴが確立される。そして、このＷｅｂＳｏｃｋｅｔコネクションＣＴの確立後に、当該コネクションにより、印刷装置１２は設定制御データの送信を要求し、制御サーバー１０は当該要求に応じて設定制御データを送信する。印刷装置１２は、受信した設定制御データに基づいて設定処理を行う。このような構成のため、印刷装置１２は、ユーザーによる指示や、制御サーバー１０からの要求を受けることなく、設定項目について対応する設定値を設定できる。また、ユーザーが設定に係る作業を行う必要がなく、また、ユーザーが設定を行うための専門的な知識を取得する必要がない。
また、以上のように、ＷｅｂＳｏｃｋｅｔコネクションＣＴが確立した後は、制御サーバー１０の設定処理部３１と、印刷装置１２の設定制御部２３とは、ＷｅｂＳｏｃｋｅｔコネクションＣＴに基づく第２機能部間通信経路ＫＴ２で、非同期の双方向通信を行う。
また、以上のように、制御サーバー１０の通信管理部２５は、受信したデータの送信先を、印刷データ処理部２７、又は、設定処理部３１に振り分ける。この構成のため、制御サーバー１０が受信したデータは、対応する処理部に送信され、当該処理部により対応する処理が実行される。同様に、印刷装置１２の通信制御部１５は、受信したデータの送信先を、印刷制御部１７、又は、設定制御部２３に振り分ける。この構成のため、印刷装置１２が受信したデータは、対応する機能部に送信され、当該機能部により対応する処理が実行される。
【００３４】
次に、所定の印刷装置１２の設定情報の内容を変更する場合の、制御サーバー１０と、管理装置１４との動作について説明する。
上述したように、制御サーバー１０の制御サーバー記憶部２８は、設定情報データベース２８ｃを記憶する。設定情報データベース２８ｃは、制御サーバー１０と接続する印刷装置１２について、印刷装置識別情報と、設定情報とを対応付けて記憶する。
そして、本実施形態に係る印刷制御システム１では、管理装置１４は、所定の印刷装置１２の設定情報の内容を変更することができる。
図６は、所定の印刷装置１２の設定情報の内容を変更する場合の、制御サーバー１０と、管理装置１４との動作を示すフローチャートである。図６（Ａ）は管理装置１４の動作を示し、（Ｂ）は制御サーバー１０の動作を示す。
なお、以下の説明において、管理装置１４の管理装置制御部４０のブラウザー実行部４０ａの機能は、例えば、ブラウザー上で動作するアプリケーションや、描画ファイル（後述）が有するスクリプトの機能により実行される。
【００３５】
まず、ユーザーは、管理装置１４のブラウザーを立ち上げ、所定のＵＲＬへのアクセスを指示する（ステップＳＹ１）。当該所定のＵＲＬは、後述する印刷装置識別情報入力ユーザーインターフェース５０（以下、「印刷装置識別情報入力ＵＩ５０」と表現する。）を、ブラウザーウィンドーに表示する場合に管理装置１４がアクセスするＵＲＬである。当該所定のＵＲＬは、制御サーバー１０が管理するＵＲＬであり、ユーザーに対して予め通知される。
図６（Ａ）に示すように、ステップＳＹ１のユーザーの指示に応じて、管理装置１４の管理装置制御部４０のブラウザー実行部４０ａは、指定されたＵＲＬへアクセスし、印刷装置識別情報入力ＵＩ５０の表示に係る描画ファイルを要求する（ステップＳＣ１）。描画ファイルは、ＨＴＭＬ（HyperText Markup Language）等のマークアップ言語で記述されたファイルであり、管理装置１４のブラウザーウィンドーにウェブページを表示させるファイルである。
図６（Ｂ）に示すように、ステップＳＣ１における管理装置１４の要求に応じて、制御サーバー１０は、印刷装置識別情報入力ＵＩ５０に係る描画ファイルを生成し、管理装置１４に送信する（ステップＳＤ１）。
図６（Ａ）に示すように、管理装置１４の管理装置制御部４０のブラウザー実行部４０ａは、ステップＳＣ１の要求に応じて取得した描画ファイルに基づいて、印刷装置識別情報入力ＵＩ５０を表示する（ステップＳＣ２）。
【００３６】
図７（Ａ）は、印刷装置識別情報入力ＵＩ５０の一例を示す図である。
図７（Ａ）に示すように、印刷装置識別情報入力ＵＩ５０は、ユーザーが印刷装置識別情報を入力する入力欄Ｒ１と、入力欄Ｒ１への入力を確定するボタンＢ１とを有する。
ユーザーは、入力欄Ｒ１に、設定情報の内容を変更する印刷装置１２の印刷装置識別情報を入力し、ボタンＢ１を操作する（ステップＳＹ２）。
管理装置１４の管理装置制御部４０のブラウザー実行部４０ａは、印刷装置識別情報入力ＵＩ５０に入力された印刷装置識別情報を示すデータを、所定のプロトコルに従って、制御サーバー１０に送信する（ステップＳＣ３）。ステップＳＣ３の処理は、例えば、印刷装置識別情報入力ＵＩ５０に係る描画ファイルに含まれるスクリプトの機能により実行される。
【００３７】
図６（Ｂ）に示すように、印刷装置識別情報を示すデータを受信すると、制御サーバー１０は、以下の処理を実行する。制御サーバー１０は、印刷装置識別情報が示す印刷装置１２に対応する設定値変更ユーザーインターフェース５１（以下、「設定値変更ＵＩ５１」と表現する。）に係る描画ファイルを生成し、管理装置１４に送信する（ステップＳＤ２）。ここで、制御サーバー１０の制御サーバー記憶部２８は、制御サーバー１０と接続する印刷装置１２について、印刷装置識別情報と対応付けて、設定変更ユーザーインターフェースに係る描画ファイルの生成に必要な情報（以下、「描画情報」という。）を記憶する。ステップＳＤ２では、制御サーバー１０は、受信したデータが示す印刷装置識別情報に対応する描画情報を取得し、取得した描画情報に基づいて、描画ファイルを生成する。
【００３８】
図６（Ａ）に示すように、管理装置１４の管理装置制御部４０のブラウザー実行部４０ａは、ステップＳＣ３の要求に応じて取得した描画ファイルに基づいて、設定値変更ＵＩ５１を表示する（ステップＳＣ４）。
図７（Ｂ）は、設定値変更ＵＩ５１の一例を示す図である。
図７（Ｂ）は、設定項目について、設定する設定値を入力するユーザーインターフェースである。
図７（Ｂ）に示すように、設定値変更ＵＩ５１には、設定情報を変更する印刷装置１２の印刷装置識別情報が表示される。
また、設定値変更ＵＩ５１は、印字濃度設定の設定値を指定する印字濃度設定変更エリアＡＲ１を有する。印字濃度設定変更エリアＡＲ１は、印字濃度設定値入力欄ＲＡ１を有する。印字濃度設定値入力欄ＲＡ１は、印字濃度設定の設定値を入力する欄である。印字濃度設定値入力欄ＲＡ１は、プルダウンメニューとなっている。ユーザーは、プルダウンメニューに表示された「設定値：濃」、又は、「設定値：薄」のいずれかを選択することにより、印字濃度設定値入力欄ＲＡ１に印字濃度設定の設定値を入力できる。
また、設定値変更ＵＩ５１は、印字速度設定の設定値を指定する印字速度設定変更エリアＡＲ２を有する。印字速度設定変更エリアＡＲ２は、印字速度設定値入力欄ＲＡ２を有する。印字速度設定値入力欄ＲＡ２は、印字速度設定の設定値を入力する欄である。印字速度設定値入力欄ＲＡ２は、プルダウンメニューとなっている。ユーザーは、プルダウンメニューに表示された「設定値：速」、又は、「設定値：遅」のいずれかを選択することにより、印字速度設定値入力欄ＲＡ２に印字速度設定の設定値を入力できる。
また、設定値変更ＵＩ５１は、紙幅設定の設定値を指定する紙幅設定変更エリアＡＲ３を有する。紙幅設定変更エリアＡＲ３は、紙幅設定値入力欄ＲＡ３を有する。紙幅設定値入力欄ＲＡ３は、紙幅設定の設定値を入力する欄である。紙幅設定値入力欄ＲＡ３は、プルダウンメニューとなっている。ユーザーは、プルダウンメニューに表示された「設定値：８０ｍｍ」、又は、「設定値：５８ｍｍ」のいずれかを選択することにより、紙幅設定値入力欄ＲＡ３に紙幅設定の設定値を入力できる。
また、設定値変更ＵＩ５１は、印字濃度設定値入力欄ＲＡ１、印字速度設定値入力欄ＲＡ２、及び、紙幅設定値入力欄ＲＡ３への入力を確定するボタンＢ２を有する。
【００３９】
ユーザーは、設定値変更ＵＩ５１の印字濃度設定値入力欄ＲＡ１、印字速度設定値入力欄ＲＡ２、及び、紙幅設定値入力欄ＲＡ３に対応する設定値を入力し、ボタンＢ２を操作する（ステップＳＹ３）。
ブラウザー実行部４０ａは、設定値変更ＵＩ５１に対するユーザーの入力に基づいて、変更コマンドを生成する（ステップＳＣ５）。変更コマンドは、印刷装置識別情報を含み、印刷装置識別情報に対応する設定情報について、設定項目の設定値を、ユーザーが設定値変更ＵＩ５１へ入力した設定値に変更することを指示するコマンドである。
次いで、ブラウザー実行部４０ａは、生成した変更コマンドに、当該変更コマンドに基づく処理をさせる処理部（本例では、設定処理部３１）の処理部識別情報を付加する（ステップＳＣ６）。ブラウザー実行部４０ａは、変更コマンドを処理させる処理部の処理部識別情報を管理しており、当該管理に基づいて、変更コマンドに処理部識別情報を付加する。ユーザーが処理部識別情報を入力する構成であってもよい。
次いで、ブラウザー実行部４０ａは、通信接続部４１を制御して、変更コマンドを制御サーバー１０に送信する（ステップＳＣ７）。
管理装置１４と、制御サーバー１０とがＨＴＴＰ通信をする場合、ステップＳＣ７でブラウザー実行部４０ａは、制御サーバー１０との間でＨＴＴＰのハンドシェイクを行い、コネクションを確立する。次いで、ブラウザー実行部４０ａは、通信接続部４１を制御して、確立したコネクションにより、変更コマンドを送信する。
【００４０】
図６（Ｂ）に示すように、通信管理部２５は、第２接続部３０を制御して、変更コマンドを受信する（ステップＳＤ３）。
次いで、通信管理部２５は、変更コマンドに含まれる処理部識別情報を取得する（ステップＳＤ４）。
次いで、通信管理部２５は、ステップＳＤ４で取得した処理部識別情報が示す処理部（本例では、設定処理部３１）に、変更コマンドを送信する（ステップＳＤ５）。
次いで、設定処理部３１は、変更コマンドに基づいて、設定値変更処理を実行する（ステップＳＤ６）。
設定値変更処理は、設定情報データベース２８ｃの対応する設定情報の内容を変更する処理である。上述したように、設定情報データベース２８ｃは、制御サーバー１０と接続する印刷装置１２について、印刷装置識別情報と、設定情報と、を対応付けて記憶するデータベースである。
設定値変更処理において、設定処理部３１は、設定情報データベース２８ｃにアクセスする。次いで、設定処理部３１は、変更コマンドに含まれる印刷装置識別情報をキーとして、対応するレコードを特定する。次いで、設定処理部３１は、特定したレコードの設定情報について、設定項目の設定値を、変更コマンドで指定された設定値に変更する。
設定値変更処理の実行後は、設定情報に基づいて生成される設定制御データは、変更コマンドに基づく設定値の変更を反映したデータとなる。
【００４１】
以上のようにして、設定情報の内容は、管理装置１４が生成する変更コマンドに基づいて変更される。
変更コマンドに基づく設定情報の変更は、例えば、以下のタイミングで、以下のようにして印刷装置１２の設定に反映される。
例えば、制御サーバー１０の設定処理部３１は、変更コマンドに基づく設定情報の変更を行った場合、変更後の設定情報に基づいて設定制御データを生成し、対応する印刷装置１２に送信する。この構成によれば、設定情報の内容に変更があった場合、より迅速に、設定情報の内容の変更を、印刷装置１２の設定に反映することができる。
また例えば、上述したように、制御サーバー１０の設定処理部３１は、１の印刷装置１２から要求コマンドを受信した場合、当該１の印刷装置１２に対応する設定情報に基づいて設定制御データを生成し、送信する。その際、設定処理部３１は、設定情報の内容に変更があった場合は、変更後の設定情報に基づいて、設定制御データを生成する。印刷装置１２は、受信した設定制御データに基づいて設定処理を行う。このように、当該１の印刷装置１２が制御サーバー１０に対して要求コマンドを送信したときに、設定情報の内容の変更が、当該１の印刷装置１２の設定に反映される。なお、本実施形態に係る印刷装置１２は、電源投入時に要求コマンドを送信する構成である。このため、電源投入の前に、変更コマンドに基づく設定情報の内容の変更があった場合は、電源投入時に、設定情報の内容の変更が、印刷装置１２の設定に反映される。従って、例えば、店舗の開店時に、当該店舗の店舗システム１１が有する複数の印刷装置１２について、同時に設定を変更する、といった処理が可能となる。なお、印刷装置１２について、電源が投入された後、定期的に要求コマンドを送信する構成としてもよい。
なお、制御サーバー１０の設定処理部３１は、要求コマンドを受信した場合、以下の処理を行ってもよい。すなわち、設定処理部３１は、制御サーバー１０と接続する印刷装置１２について、設定項目に現時点で設定されている設定値を管理する。そして、設定処理部３１は、１の印刷装置１２から要求コマンドを受信した場合、当該１の印刷装置１２の設定項目について、当該１の印刷装置１２に現時点で設定されている設定値と、当該１の印刷装置１２に対応する設定情報が示す設定値とに差があるか否かを判別する。変更コマンドに基づいて設定情報の内容が変更された場合は、設定処理部３１により、差があると判別される。次いで、設定処理部３１は、設定値に差がある設定項目について、設定値を指定して、指定した設定値の設定を指示する設定制御データを生成する。次いで、設定処理部３１は、生成した設定制御データを送信する。一方、設定処理部３１は、設定値に差がある設定項目が存在しない場合、その旨、通知する。この構成によれば、設定制御データのデータ量を小さくすることができ、通信効率の向上を図ることができる。
【００４２】
次に、管理装置１４が印刷装置１２の印刷を制御する場合における管理装置１４、制御サーバー１０、及び、印刷装置１２の動作について説明する。
図８は、管理装置１４が印刷装置１２の印刷を制御する場合の各装置の動作を示すフローチャートであり、（Ａ）は管理装置１４の動作を、（Ｂ）は制御サーバー１０の動作を、（Ｃ）は印刷装置１２の動作を示す。
また、図８のフローチャートを用いて、制御サーバー１０の印刷データ処理部２７と、印刷装置１２の印刷制御部１７との間で行われる第１機能部間通信経路ＫＴ１による非同期な双方向通信について、印刷データ処理部２７がデータ（本例では、印刷制御データ）を送信する場合を例にして説明する。
【００４３】
図８（Ａ）に示すように、印刷装置１２による印刷に際し、ユーザーは、管理装置１４のブラウザーを立ち上げ、所定のＵＲＬへのアクセスを指示する（ステップＳＺ１）。当該ＵＲＬは、後述する印刷情報入力用ユーザーインターフェース（以下、「印刷ＵＩ」と表現する。）を、ブラウザーウィンドーに表示する場合にアクセスするＵＲＬである。当該所定のＵＲＬは、ユーザーに対して予め通知される。なお、ＵＲＬは、制御サーバー１０が管理するＵＲＬであってもよく、他のサーバーが管理するＵＲＬであってもよい。
ステップＳＺ１の指示に応じて、管理装置１４の管理装置制御部４０のブラウザー実行部４０ａは、指定されたＵＲＬへアクセスし、印刷ＵＩの表示に係る描画ファイルを要求する（ステップＳＥ１）。描画ファイルは、ＨＴＭＬ（HyperText Markup Language）等のマークアップ言語で記述されたファイルであり、管理装置１４のブラウザーウィンドーにウェブページを表示させるファイルである。
【００４４】
次いで、ブラウザー実行部４０ａは、ステップＳＥ１の要求に応じて取得した描画ファイルに基づいて、印刷ＵＩを表示する（ステップＳＥ２）。
印刷ＵＩは、印刷装置１２に印刷させる印刷情報を、ユーザーが入力するユーザーインターフェースである。印刷情報は、画像データが格納されたファイル名や、印刷媒体における画像の位置に関する情報等である。印刷ＵＩでは、制御サーバー１０の印刷データ処理部２７が印刷制御データの生成に用いる情報を入力可能である。
また、印刷ＵＩは、印刷させる印刷装置１２の印刷装置識別情報、及び、制御サーバー１０の処理部のうち、後述する印刷指示データを送信し、印刷指示データに基づく処理を実行させる処理部（本例では、印刷データ処理部２７。）の処理部識別情報をユーザーが入力するユーザーインターフェースである。印刷ＵＩには、印刷情報、印刷装置識別情報、及び、処理部識別情報を入力する欄が設けられ、ユーザーは、当該欄に印刷情報、印刷装置識別情報、及び、処理部識別情報を入力する。
【００４５】
ユーザーが、印刷ＵＩに対して印刷情報、印刷装置識別情報、及び、処理部識別情報を入力し、入力を確定すると（ステップＳＺ２）、ブラウザー実行部４０ａは、以下の処理を実行する。
ブラウザー実行部４０ａは、印刷指示データを生成する（ステップＳＥ３）。印刷指示データは、印刷ＵＩに入力された情報に基づく印刷情報、印刷装置識別情報、及び、処理部識別情報が含まれた所定のフォーマットのデータである。印刷指示データは、制御サーバー１０の印刷データ処理部２７がデータに基づく処理を実行可能なデータ形式である。
次いで、ブラウザー実行部４０ａは、通信接続部４１を制御して、制御サーバー１０に印刷指示データを送信する（ステップＳＥ４）。ステップＳＥ４において、通信接続部４１は、制御サーバー１０との間で、例えば、ＨＴＴＰでハンドシェイクを行ってコネクションを確立し、コネクションにより印刷指示データを送信する。
なお、本実施形態では、印刷ＵＩにユーザーが処理部識別情報を入力し、印刷指示データには、ユーザーが入力した処理部識別情報が付加される構成である。この構成に限らず、管理装置制御部４０が、制御サーバー１０に送信するデータについて、当該データを処理させる処理部を判別し、処理部の処理部識別情報をデータに付加する構成であってもよい。例えば、管理装置制御部４０は、送信するデータの種類と、データを処理する処理部との関係を管理し、管理した関係に基づいて、送信するデータに付加する処理部識別情報を特定する。
【００４６】
図８（Ｂ）に示すように、通信管理部２５は、第２接続部３０を制御して、印刷指示データを受信する（ステップＳＦ１）。
次いで、通信管理部２５は、印刷指示データに含まれる処理部識別情報を取得する（ステップＳＦ２）。
次いで、通信管理部２５は、ステップＳＦ２で取得した処理部識別情報が示す処理部（本例では、印刷データ処理部２７）に印刷指示データを送信する（ステップＳＦ３）。通信管理部２５は、処理部と処理部識別情報との関係を管理し、１の処理部識別情報に基づいて、当該１の処理部識別情報が示す処理部にデータを送信できる。
印刷データ処理部２７は、受信した印刷指示データに基づいて、印刷制御データを生成する（ステップＳＦ４）。印刷制御データは、印刷装置１２に印刷させる印刷情報を有するＸＭＬ（Extensible Markup Language）ファイルである。印刷制御データは、ＸＭＬフォーマットに従って、印刷装置１２に印刷させる印刷情報、例えば、画像データや、画像の位置を示す情報等が記述される。
印刷制御データは、印刷させる印刷装置１２の印刷装置識別情報が付加される。印刷データ処理部２７は、印刷指示データに含まれる印刷装置識別情報に基づいて、印刷制御データに、印刷装置識別情報を付加する。
印刷装置識別情報は、印刷制御データのヘッダー等の制御情報が記述される領域に記述されてもよく、また、印刷制御データ内の所定のタグに記述されてもよい。
次いで、印刷データ処理部２７は、制御サーバー記憶部２８に記憶されたコネクション管理データベース２８ａを参照する（ステップＳＦ５）。
【００４７】
次いで、印刷データ処理部２７は、印刷装置識別情報をキーとして、コネクション管理データベース２８ａで、当該識別情報と対応付けられたＷｅｂＳｏｃｋｅｔコネクションＣＴのコネクション識別情報を取得する（ステップＳＦ６）。取得されたコネクション識別情報は、印刷させる印刷装置１２との間で確立されたＷｅｂＳｏｃｋｅｔコネクションＣＴのコネクション識別情報である。
次いで、印刷データ処理部２７は、印刷制御データに、印刷データ処理部２７の処理部識別情報を付加する（ステップＳＦ７）。印刷データ処理部２７は、当該印刷データ処理部２７に割り当てられた処理部識別情報を管理する。
次いで、印刷データ処理部２７は、印刷制御データを、ステップＳＦ６で取得したコネクション識別情報に対応する第１接続部２６に送信する（ステップＳＦ８）。
第１接続部２６は、受信した印刷制御データを、ＷｅｂＳｏｃｋｅｔコネクションＣＴで、印刷装置１２にプッシュ送信する（ステップＳＦ９）。
【００４８】
図５（Ｃ）に示すように、通信部１６は、ＷｅｂＳｏｃｋｅｔコネクションＣＴで、印刷制御データを受信する（ステップＳＧ１）。
次いで、通信部１６は、通信制御部１５に、印刷制御データを送信する（ステップＳＧ２）。
通信制御部１５は、印刷制御データに付加された処理部識別情報を取得する（ステップＳＧ３）。次いで、通信制御部１５は、機能部管理データベース１９ｃを参照する（ステップＳＧ４）。次いで、通信制御部１５は、ステップＳＧ３で取得した処理部識別情報をキーとして、機能部管理データベース１９ｃで、当該識別情報と対応付けられた機能部識別情報を取得する（ステップＳＧ５）。次いで、通信制御部１５は、ステップＳＧ５で取得した機能部識別情報が示す機能部（本例では、印刷制御部１７）に、印刷制御データを送信する（ステップＳＧ６）。通信制御部１５は、機能部識別情報と機能部との関係を管理する。従って、通信制御部１５は、１の機能部識別情報に基づいて、当該１の機能部識別情報が示す機能部にデータを送信できる。
印刷制御部１７は、受信した印刷制御データを、印刷部１８のコマンド体系の制御コマンドに変換する（ステップＳＧ７）。印刷制御部１７は、ＸＭＬファイルである印刷制御データを、印刷部１８が解釈可能なコマンドに変換する。次いで、印刷制御部１７は、制御コマンドを、印刷部１８に送信する（ステップＳＧ８）。
印刷部１８は、制御コマンドに基づいて、印刷媒体への印刷を実行する（ステップＳＧ９）。印刷部１８は、設定ファイルの設定を反映して、印刷を実行する。
【００４９】
このように、制御サーバー１０は、印刷装置１２に印刷を実行させる事象が発生した場合に、印刷装置１２からのリクエストを受けることなく、印刷装置１２に印刷制御データを送信して、印刷装置１２に印刷させることができる。印刷装置１２に印刷を実行させる事象が発生した場合とは、例えば、上記例のように通信可能に接続された外部機器からの要求があった場合や、ユーザーからの指示があった場合、予め定めた条件が成立した場合等、である。
このため、印刷装置１２から制御サーバー１０に対して間欠的にリクエストを送り、印刷装置１２に印刷をさせたい場合に、当該リクエストに応じて印刷制御データを送信する構成とした場合と比較して、印刷を実行させる事象の発生後、より迅速に印刷を開始させることができる。また、制御サーバー１０がリクエストに対する保留状態を作る構成とした場合と比較して、リソースの消費を抑制できる。
【００５０】
なお、印刷部１８による印刷が行われた後は、印刷装置１２、制御サーバー１０、及び、管理装置１４は、以下の処理を実行する。
すなわち、印刷制御部１７は、印刷部１８による印刷の結果に基づいて、印刷結果データを生成する。印刷結果データとは、印刷部１８による印刷が成功したか失敗したかを示す情報、及び、失敗した場合はその原因を示す情報を含むデータである。
印刷制御部１７は、ＷｅｂＳｏｃｋｅｔコネクションＣＴに基づく第１機能部間通信経路ＫＴ１により、印刷データ処理部２７に印刷結果データを送信する。なお、第１機能部間通信経路ＫＴ１を利用した印刷制御部１７から印刷データ処理部２７へのデータの送信は、第２機能部間通信経路ＫＴ２を利用した設定制御部２３から設定処理部３１へのデータの送信と同様の方法で行われる。
印刷データ処理部２７は、受信した印刷結果データを、印刷指示データを送信した管理装置１４に対して送信する。例えば、印刷データ処理部２７は、印刷指示データの送信に用いたコネクションを管理し、当該コネクションを利用して、印刷結果データを管理装置１４に送信する。管理装置１４の管理装置制御部４０のブラウザー実行部４０ａは、受信した印刷結果データに基づいて対応する処理を実行する。例えば、管理装置制御部４０は、印刷結果を示す情報を表示部４２に表示し、印刷結果をユーザーに報知する処理を行う。
【００５１】
ここで、本実施形態では、制御サーバー１０は、印刷データ処理部２７と、設定処理部３１という異なる機能を有する処理部を有する。
これにより以下の効果を奏する。
すなわち、上述したように、印刷データ処理部２７は、印刷結果データを受信した場合、印刷指示データを送信した管理装置１４に対して、印刷結果データを送信する。これにより、印刷を指示した管理装置１４が、印刷の結果を取得できる。一方で、設定処理部３１は、印刷装置１２から要求コマンドを受信した場合、設定制御データを生成して印刷装置１２に送信する。
このように、印刷データ処理部２７と、設定処理部３１とでは、受信したデータの処理方法、特に、管理装置１４との関係でデータをどのようにするかが異なる。このことに基づいて、制御サーバー１０は、印刷データ処理部２７とは独立して、処理部として、ステータス処理部２９を備える。なお、上述した方法により、印刷制御部１７が送信したデータは、印刷データ処理部２７に送信され、また、設定制御部２３が送信したデータは、設定処理部３１に送信される。
【００５２】
以上説明したように、本実施形態に係る印刷制御システム１は、印刷装置１２と、制御サーバー１０（印刷制御装置）と、を備える。
印刷装置１２は、印刷を行う印刷部１８、印刷制御データに基づいて印刷部１８を制御する印刷制御部１７、設定制御データに基づいて設定処理を行う設定制御部２３、及び非同期の双方向通信を行うＷｅｂＳｏｃｋｅｔコネクションＣＴにより印刷制御データと設定制御データとを受信する通信部１６を有する。
制御サーバー１０は、印刷制御データを生成する印刷データ処理部２７、設定制御データを生成する設定処理部３１、及び印刷データ処理部２７で生成された印刷制御データと設定処理部３１で生成された設定制御データとをＷｅｂＳｏｃｋｅｔコネクションＣＴで印刷装置１２に送信する第１接続部２６（接続部）を有する。
この構成によれば、制御サーバー１０は、設定処理部３１の機能により、設定制御データを生成して印刷装置１２に送信し、印刷装置１２は、設定制御部２３の機能により、設定制御データに基づいて設定処理を行う。このため、印刷制御システム１では、印刷装置１２と制御サーバー１０とがネットワークＧＮを介して通信する構成を利用して印刷装置１２の設定を変更できる。また、制御サーバー１０は、印刷制御データと、設定制御データとを非同期の双方向通信を行うＷｅｂＳｏｃｋｅｔコネクションＣＴで印刷装置１２に通信する。このため、制御サーバー１０は、印刷装置１２に印刷させるトリガーが発生した場合に、印刷制御データを印刷装置１２に送信して印刷処理を実行させることができる。また、制御サーバー１０は、印刷装置１２に設定処理を実行させるトリガーが発生した場合に、設定制御データを印刷装置１２に送信して設定処理を実行させることができる。
【００５３】
また、本実施形態では、印刷装置１２は、電源が投入されたときに、制御サーバー１０との間でＷｅｂＳｏｃｋｅｔコネクションＣＴの確立を行う通信制御部１５を有する。
この構成によれば、電源投入時に、印刷装置１２により自動でＷｅｂＳｏｃｋｅｔコネクションＣＴが確立されるため、ユーザーによるＷｅｂＳｏｃｋｅｔコネクションＣＴの確立のための作業が必要なく、また、電源投入後、ＷｅｂＳｏｃｋｅｔコネクションＣＴにより印刷装置１２と制御サーバー１０とが非同期の双方向通信により通信できる状態とすることができる。
【００５４】
また、本実施形態では、印刷装置１２の設定制御部２３は、通信制御部１５によりＷｅｂＳｏｃｋｅｔコネクションＣＴが確立されたときに、設定制御データの送信を要求する要求コマンドをＷｅｂＳｏｃｋｅｔコネクションＣＴで制御サーバー１０に送信する。
この構成によれば、ＷｅｂＳｏｃｋｅｔコネクションＣＴの確立時に、自動で、印刷装置１２により設定処理が行われるため、ユーザーによる煩雑な作業が必要なく、また、ＷｅｂＳｏｃｋｅｔコネクションＣＴの確立により制御サーバー１０から印刷制御データを受信する可能性が生じた後に、印刷装置１２が設定を反映した印刷処理を実行できる状態とすることができる。
【００５５】
また、本実施形態では、制御サーバー１０の制御サーバー記憶部２８は、印刷装置識別情報と、印刷装置１２の設定に係る情報である設定情報とを対応付ける設定情報データベース２８ｃを記憶する。そして、制御サーバー１０の設定処理部３１は、印刷装置１２から要求コマンドを受信した場合、要求コマンドに含まれる印刷装置識別情報と対応付けられた設定情報を取得し、取得した設定情報に基づいて設定制御データを生成する。
この構成によれば、制御サーバー１０は、印刷装置識別情報を用いて、１の印刷装置識別情報が示す印刷装置１２に、対応する設定情報に基づく設定処理を実行させることができる。
【００５６】
また、本実施形態では、管理装置１４は、印刷装置識別情報を含み、印刷装置識別情報と対応付けられた設定情報の内容を変更させる変更コマンドを生成する管理装置制御部４０、及び管理装置制御部４０で生成された変更コマンドを制御サーバー１０に送信する通信接続部４１を有する。
この構成によれば、管理装置１４は、所定の印刷装置識別情報が示す設定情報の内容を変更することができ、これにより、所定の印刷装置識別情報が示す印刷装置の設定を変更することができる。
【００５７】
また、制御サーバー１０は、印刷装置１２から送信された要求コマンドを、設定処理部３１に送信する通信管理部２５を有する。
この構成によれば、通信管理部２５の機能により、要求コマンドを、設定処理部３１に送信して、設定処理部３１に設定制御データを生成させることができる。
【００５８】
また、印刷装置１２は、制御サーバー１０から送信された印刷制御データを印刷制御部１７に送信し、制御サーバー１０から送信された設定制御データを設定制御部２３に送信する通信制御部１５を有する。
この構成によれば、通信制御部１５の機能により、印刷制御データを印刷制御部１７に送信して印刷を実行させ、設定制御データを設定制御部２３に送信して設定処理を実行させることができる。
【００５９】
なお、上述した実施の形態は、あくまでも本発明の一態様を示すものであり、本発明の範囲内で任意に変形および応用が可能である。
上述した実施形態では、印刷装置１２は店舗に用いる店舗システム１１に設けられていた。しかしながら、印刷装置１２は、必ずしも、店舗システム１１に設けられたものでなくてもよい。例えば、他のシステムに設けられたものであってもよい。
また、上述した実施形態では、制御サーバー１０から、印刷装置１２に対して、ＸＭＬファイルの印刷制御データを送信していたが、印刷制御データのデータ形式はＸＭＬでなくともよい。例えば、他のマークアップ言語で生成されたデータであってもよく、また、印刷部１８のコマンド体系の制御コマンドであってもよい。
また、図３に示す各機能ブロックはハードウェアとソフトウェアにより任意に実現可能であり、特定のハードウェア構成を示唆するものではない。また、印刷装置１２の機能を、当該装置に外部接続される別の装置に持たせるようにしてもよい。また、印刷装置１２は、外部接続される記憶媒体に記憶させたプログラムを実行することによって、各種処理を実行しても良い。
【符号の説明】
【００６０】
１…印刷制御システム、１０…制御サーバー（印刷制御装置）、１２…印刷装置、１４…管理装置、１５…通信制御部、１６…通信部、１７…印刷制御部、１８…印刷部、２３…設定制御部、２５…通信管理部、２６…第１接続部（接続部）、２７…印刷データ処理部、２８…制御サーバー記憶部（記憶部）、３１…設定処理部、４０…管理装置制御部（制御部）、４１…通信接続部、ＣＴ…ＷｅｂＳｏｃｋｅｔコネクション。
【図１】
2015125728.tif 000003
【図２】
2015125728.tif 000004
【図３】
2015125728.tif 000005
【図４】
2015125728.tif 000006
【図５】
2015125728.tif 000007
【図６】
2015125728.tif 000008
【図７】
2015125728.tif 000009
【図８】
2015125728.tif 000010